(57)【要約】      （修正有）【課題】段ボール箱の貼着された一対の外蓋の突合せ部分を刃物を用いずに開梱するにあたり、粘着テープを円滑に剥せるとともに、剥した後であってもまた粘着テープを貼着して再利用できる段ボール箱を提供する。【解決手段】段ボール箱２の第１の側面２３の所定の位置に、対向する２本の第１の縦の破断線３１と前記第１の縦の破断線３１の上端を結ぶ第１の横の破断線３２で囲撓された少なくとも１つの第１の区画３を備え、第１の区画３が粘着テープ１の第１の端部１１によって覆われる被覆部３３と覆われない露出部３４を有し、露出部３４を圧して第１の区画３の全体を段ボール箱２の内側へ折り込むことにより、被覆部３３から剥脱された粘着テープ１の第１の端部１１の当該部分を粘着テープ１の全体を段ボール箱２から剥すための切っ掛けとする。【選択図】図１
0003174499.tif 000002
【実用新案登録請求の範囲】
【請求項１】
一対の外蓋の突合せ部分に粘着テープを貼着することにより封緘される段ボール箱であって、
前記段ボール箱の第１の側面の所定の位置に、対向する２本の第１の縦の破断線と前記第１の縦の破断線の上端を結ぶ第１の横の破断線で囲撓された少なくとも１つの第１の区画を備え、
前記第１の区画が前記粘着テープの第１の端部によって覆われる被覆部と覆われない露出部を有し、
前記露出部を圧して前記第１の区画の全体を前記段ボール箱の内側へ折り込むことにより、前記被覆部から剥脱された前記粘着テープの前記第１の端部の当該部分を前記粘着テープの全体を前記段ボール箱から剥すための切っ掛けとすることを特徴とする段ボール箱。
【請求項２】
前記第１の区画が前記段ボール箱の前記第１の側面の天面側及び底面側の双方に設けられることを特徴とする請求項１に記載の段ボール箱。
【請求項３】
さらに、前記粘着テープの前記第１の端部とは反対側に前記第１の区画から離間した所定の位置に、対向する２本の第２の縦の破断線と前記第２の縦の破断線の下端を結ぶ第２の横の破断線で囲撓された少なくとも１つの第２の区画を備え、
前記第２の区画を前記段ボール箱の内側へ折り込むことにより、前記第１の区画と前記第２の区画の間の間合部が前記第１の区画の前記露出部を圧する際の指掛けとなることを特徴とする請求項１又は２に記載の段ボール箱。
【請求項４】
前記第１の区画が前記段ボール箱の前記第１の側面の天面側及び底面側の双方に、前記第２の区画が前記第１の側面の略中央に設けられ、１つの前記第２の区画が２つの前記第１の区画に適用されることを特徴とする請求項３に記載の段ボール箱。
【請求項５】
前記第１の区画及び前記第２の区画が前記段ボール箱の前記第１の側面の天面側及び底面側の双方に設けられ、２つの前記第２の区画が２つの前記第１の区画に各別に適用されることを特徴とする請求項３に記載の段ボール箱。
【請求項６】
前記第１の区画が前記粘着テープの前記第１の端部の両隅部に対応するように各別に設けられたことを特徴とする請求項１ないし５のいずれかに記載の段ボール箱。
【考案の詳細な説明】
【技術分野】
【０００１】
本発明は、段ボール箱に、特に、一対の外蓋の突合せ部分に粘着テープを貼着することにより封緘される段ボール箱に関する。
【背景技術】
【０００２】
段ボール箱は、様々な内容物を包装又は梱包して流通、運送するのに供されている。その役割は、内容物が何ら損傷を受けることなく、出荷された際の状態のまま使用者の手元に届けられることのみならず、使用者の手元で開梱する際にも内容物を傷つけることなく、取り出せるようになっていなければならない。特に、内容物が医療用資器材、例えば、血液バッグや薬液バッグなどの場合、少しでも傷つけられるとその修復が極めて困難又は不可能であり、細心の注意が求められる。
【０００３】
この点、外蓋はめ込み式の段ボール箱であればその蓋を接着テープ等で貼着しなくとも、梱包、開梱が可能であるが、最も安価で大量に供給されているＡ式すなわちみかん箱タイプの段ボール箱は、内蓋を閉じた後に外蓋を閉じ、その突き合わせ部分を接着テープ等で貼着しなければならない。そして、後者の場合、開梱にあたり、接着テープ等を剥すことなく、カッター等の刃物を用いて接着テープを切断する場合が多い。通常、内容物の重要性に応じて損傷を与えないよう、「カッター注意」などのいわゆるケアマークが施されるが、接着テープ等は剥し難いとか、面倒であるとか、段ボール箱の再利用を考えてきれいに開梱したいとかなどの理由により、カッター等の刃物で接着テープを切断することが頻繁に行われるのが実態である。
【０００４】
このような実態に対応すべく、従来、１つの解決手段として、段ボール箱に貼着された粘着テームの端部に予めタグを取り付けておいて端部が段ボール箱に貼着しないようにしておき、そのタグ付きの端部から剥すことによって、カッター等の刃物を用いずに開封するという手段が用いられていた。しかし、これでは、開封性は向上するものの、タグを取り付けるために関連設備の改造やタグ紙テープの部材追加によるコストアップのほかに、倉庫への搬入時にタグが引っ掛かって邪魔になったり、又は輸送時においてタグからの粘着テープ剥がれが生じるなどの問題があった。
【０００５】
これに対し、従来の他の解決手段として、段ボール箱の粘着テープの端部に対応する位置に何らかの切り込みをいれておき、当該箇所を内側に押すことによって段ボール箱の一部を破断させ、その開口に指を挿入して粘着テープを剥すことが提案されている。例えば、図９に示すように、段ボール箱の側面に粘着テープの端部に対し斜めに略Ｌ字形状の切り込みを入れておき、Ｌ字の底辺部分を段ボール箱の内側に押し込み、その押し込まれた段ボール箱と粘着テープの間に生じた隙間に指を入れて粘着テープを引き剥すものが知られている。さらには、実開平２−６３３２３号公報（特許文献１）には、図１０に示すように、段ボール箱の側面につまみ部と押込み部を設け、押込み部を段ボール箱内へ押込んで空間を形成し、その空間に指を挿入してつまみ部を掴んで引き上げ、つまみ部に貼着された粘着テープを剥す手段が開示されている。
【先行技術文献】
【特許文献】
【０００６】
【特許文献１】実開平２−６３３２３号公報
【考案の概要】
【考案が解決しようとする課題】
【０００７】
しかしながら、図９に示した段ボール箱では、Ｌ字形状の底辺部分を押し込んで引き上げた際に粘着テープの先端が段ボール箱の当該部からきれいに剥脱されていないためそれらが混然となってつぶれてしまい、粘着テームを円滑に剥すことができず、また、剥した跡がつぶれた空間として残るため、その段ボール箱を再利用できないという問題がある。また、図１０に示した特許文献１に係る段ボール箱では、粘着テープの先端がつぶれてしまうということはないものの、つまみ部が段ボール箱の側面から完全に取り外されてしまうため、一旦粘着テープを剥した後につまみ部を取り去った空間が生じてしまい、その段ボール箱を再利用できないという問題がある。
【０００８】
本発明は、かかる事情に鑑み考案されたものであり、段ボール箱の貼着された一対の外蓋の突合せ部分を刃物を用いずに開梱するにあたり、粘着テープを円滑に剥せるとともに、剥した後であってもまた粘着テープを貼着して再利用できる段ボール箱を提供することを目的とする。
【課題を解決するための手段】
【０００９】
（１）上記目的を達成するため、本発明は、一対の外蓋の突合せ部分に粘着テープを貼着することにより封緘される段ボール箱であって、段ボール箱の第１の側面の所定の位置に、対向する２本の第１の縦の破断線と第１の縦の破断線の上端を結ぶ第１の横の破断線で囲撓された少なくとも１つの第１の区画を備え、第１の区画が粘着テープの第１の端部によって覆われる被覆部と覆われない露出部を有し、露出部を圧して第１の区画の全体を段ボール箱の内側へ折り込むことにより、被覆部から剥脱された粘着テープの第１の端部の当該部分を粘着テープの全体を段ボール箱から剥すための切っ掛けとすることを特徴とする段ボール箱を提供する。
【００１０】
（２）また、第１の区画が段ボール箱の第１の側面の天面側及び底面側の双方に設けられることを特徴とする上記（１）に記載の段ボール箱を提供する。
【００１１】
（３）また、さらに、粘着テープの第１の端部とは反対側に第１の区画から離間した所定の位置に、対向する２本の第２の縦の破断線と前記第２の縦の破断線の下端を結ぶ第２の横の破断線で囲撓された少なくとも１つの第２の区画を備え、第２の区画を段ボール箱の内側へ折り込むことにより、第１の区画と第２の区画の間の間合部が第１の区画の露出部を圧する際の指掛けとなることを特徴とする上記（１）又は（２）に記載の段ボール箱を提供する。
【００１２】
（４）また、第１の区画が段ボール箱の第１の側面の天面側及び底面側の双方に、第２の区画が第１の側面の略中央に設けられ、１つの第２の区画が２つの第１の区画に適用されることを特徴とする上記（３）に記載の段ボール箱を提供する。
【００１３】
（５）また、第１の区画及び第２の区画が段ボール箱の第１の側面の天面側及び底面側の双方に設けられ、２つの第２の区画が２つの第１の区画に各別に適用されることを特徴とする上記（３）に記載の段ボール箱を提供する。
【００１４】
（６）また、第１の区画が粘着テープの第１の端部の両隅部に対応するように各別に設けられたことを特徴とする上記（１）ないし（５）のいずれかに記載の段ボール箱を提供する。
【考案の効果】
【００１５】
本発明に係る段ボール箱は、段ボール箱の貼着された一対の外蓋の突合せ部分を刃物を用いずに開梱するにあたり、粘着テープを円滑に剥せるとともに、剥した後であってもまた粘着テープを貼着して再利用できる。
【図面の簡単な説明】
【００１６】
【図１】本発明の第１の実施の形態に係る段ボール箱の斜視図である。
【図２】本発明の第２の実施の形態に係る段ボール箱の斜視図である。
【図３】本発明の第３の実施の形態に係る段ボール箱の斜視図である。
【図４】本発明の第３の実施の形態に係る段ボール箱であって、粘着テープを剥し始めた際の状態を示す拡大斜視図である。
【図５】本発明の第３の実施の形態に係る段ボール箱であって、粘着テープを剥し始めた際の状態を模式的に示す断面図である。
【図６】本発明の第４の実施の形態に係る段ボール箱の斜視図である。
【図７】本発明の第５の実施の形態に係る段ボール箱の斜視図である。
【図８】本発明の第６の実施の形態に係る段ボール箱の斜視図である。
【図９】従来の段ボール箱を示す一例である。
【図１０】従来の段ボール箱を示す他の一例である。
【考案を実施するための形態】
【００１７】
本発明に係る実施の形態について、それぞれ関係の添付図面を用いて説明する。
【００１８】
（第１の実施の形態）
図１は、天面側に粘着テープ１が貼着された本発明の第１の実施の形態に係る段ボール箱２の斜視図を示している。段ボール箱２は、Ａ式のみかん箱タイプのものであって、一対の外蓋２１ａ，ｂと一対の内蓋２２ａ，ｂを備えている。梱包する手順は、まず内容物を収納した後、一対の内蓋２２ａ，ｂを閉じ、その後、一対の外蓋２１ａ，ｂを閉じる。そして、一対の外蓋２１ａ，ｂの突き合わせ部分に接着テープ１を貼り、梱包を完了する。ここでは、Ａ式のみかん箱タイプの段ボール箱２を例示しているが、例えば畳（タトウ）式のやっこ形タイプであってもよい。
【００１９】
換言すると、本発明に係る段ボール箱２は、一対の外蓋２１ａ，ｂと一対の内蓋２２ａ，ｂを備えているタイプのものである。このタイプでは、一対の内蓋２２ａ，ｂを閉じてもそれらの端部が突き合うということがなく、一対の外蓋２１ａ，ｂを閉じることによってそれらの端部が突き合わされ、その突き合わせ部分を粘着テープ１によって封緘することになる。
【００２０】
第１の実施の形態では、段ボール箱２の天面から第１の側面２３へ延出している粘着テープ１の第１の端部１１が、第１の側面２３の所定の位置に設けられた第１の区画３の一部を覆うように貼着されている。ここで、第１の区画３は、対向する２本の第１の破断線３１とそれらの上端を結ぶ第１の横の判断線３２が組み合わされた略逆Ｕ字形状によって構成される破断線で囲撓された区画であって、粘着テープ１によって覆われる被覆部３３と、覆われない露出部３４とに区分される。被覆部３３と露出部３４の区分の割合は、使用される段ボール箱２の段ボールの材質や粘着テープ１の粘着力などにより適宜設定することができるが、利用者の指で露出部３４を圧することにより被覆部３３から粘着テープ１を剥脱させ、第１の区画３の全体が段ボール箱２の内側に折り込むことができるように設定する。
【００２１】
また、図１では、利用者の親指をもって露出部３４を圧することを想定して、第１の区画３全体の形状及び大きさを設定した場合を示している。しかし、第１の区画３の形状や大きさは、段ボール箱２自体の大きさや材質並びにその開封作業に応じて変形が可能であり、略逆Ｕ字形状又は図１に示したものに限定されない。また、図１には図示していないが、利用者が本願発明の段ボール箱２を企図された方法に基づいて利用できるよう、第１の区画３の被覆部３３と露出部３４を識別するためのラインや注意書きなどのマーキングを第１の区画３の内外に印刷するようにすれば、なお一層好ましいものとなる。
【００２２】
次に、第１の実施形態に係る段ボール箱２に粘着テープ１を封緘し、そして開封する手順について説明する。まず、粘着テープ１の第１の端部１１が段ボール箱２の第１の側面２３に設けられた第１の区画３の被覆部３３を覆うように貼着したうえで、段ボール箱２の天面の一対の外蓋２１ａ，ｂの突き合わせ部分を粘着テープ１によって封緘する。開封する際は、利用者の指で第１の「区画３の露出部３４を圧することにより被覆部３３から粘着テープ１を剥脱させ、第１の区画３の全体を段ボール箱２の内側に折り込む。そして、被覆部３３から剥脱した粘着テープ１の該当箇所を切っ掛け１３とし、この切っ掛け１３（図４参照）を引き上げて粘着テープ１の全体を段ボール箱２から剥す。
【００２３】
以上のように構成された段ボール箱２は、粘着テープ１の第１の端部１１をつぶすことなくきれいに第１の区画３の被覆部３３から剥脱させることができることから、粘着テープ１の全体を円滑に剥せるとともに、段ボール箱２の一部を切り取ってしまわずに第１の区画３を元の位置に戻すことができることから、粘着テープ１を剥した後でも段ボール箱２を再利用できる。
【００２４】
（第２の実施の形態）
図２は、天面側及び底面側に粘着テープ１が貼着された本発明の第２の実施の形態に係る段ボール箱２の斜視図を示している。第１の実施形態と異なる点についてのみ、次に説明する。第２の実施形態は、天面側に加え、底面側の一対の外蓋２１ａ，ｂをも粘着テープ１で封緘した段ボール箱２であって、第１の区画３を第１の側面２３の天面側及び底面側の双方に設けたものである。その構成や封緘及び開封の手順は第１の実施形態と同様であるので、その説明は省略する。第２の実施形態は、内容物が天地無用であって段ボール箱２のどちらの面が上側となっても差し支えないような場合に利用者にとって有用となる。
【００２５】
（第３の実施の形態）
図３は、天面側に粘着テープ１が貼着された本発明の第３の実施の形態に係る段ボール箱２の斜視図を示している。第３の実施形態は、第１の実施形態において、１つの第１の区画３に加えて、第１の区画３からみて粘着テープ１の第１の端部１１とは反対側に所定の間合部５だけ離間した位置に１つの第２の区画４を設けたものである。第１の実施形態とは異なる点についてのみ、次に説明する。
【００２６】
第２の区画４は、内側を互いに向け合って対向する２本の第２の縦の破断線４１とそれらの下端を結ぶ第２の横の破断線４２が組み合わされた横長の略Ｕ字形状によって構成される破断線で囲撓された区画である。第２の区画４は、第１の区画３の露出部３４を例えば親指で圧する際に、異なる指を挿入するための開口を提供するものである。すなわち、第１の区画３の露出部３４を圧するに先立ち、第２の区画４を異なる指によって段ボール箱２の内側に折り込んで開通させ、そのままその指を挿入し、第２の区画２を折り込んだ状態で間合部５の裏側にその指をひっかける。そして、第１の区画３の露出部３４を親指で圧すると、てこの原理によって、第１の区画３を段ボール箱２の内側に折り込みやすくする。
【００２７】
図３では、利用者の親指をもって第１の区画３の露出部３４を圧するのに対し、第２の区画４は異なる指で開通させることを想定してその全体の形状及び大きさを設定した場合を示している。しかし、第２の区画４の形状や大きさは、段ボール箱２自体の大きさや材質並びにその開封作業に応じて変形が可能であり、横長の略Ｕ字形状又は図３に示したものに限定されない。また、図３には図示していないが、利用者が本願発明の段ボール箱２を企図された方法に基づいて利用できるよう、第２の区画４を第１の区画３を圧するのに先立って開通させるよう注意書きなどのマーキングを第２の区画４の近傍に印刷するようにすれば、なお一層好ましいものとなる。
【００２８】
図４は、第３の実施の形態に係る段ボール箱であって、粘着テープ１を剥し始めた際の状態を拡大して示している。第１の区画３の被覆部３３に接着していた粘着テープ１の第１の端部１１が被覆部３３から剥脱することにより、当該箇所が粘着テープ１の全体を剥すための切っ掛け１３となる。切っ掛け１３は、被覆部３３に対応した箇所であって一点鎖線で囲った部分である。図５には、第３の実施の形態に係る段ボール箱２に内容物を梱包した状態で、粘着テープ１を剥し始めた際の模様の断面を模式的に示している。図５は、第１の区画３と第２の区画４の位置関係を示すためのものであり、例えば段ボール箱２や粘着テープ１の厚みなどは実寸に基づく比率を図示したものではないので、留意されたい。第１の区画３と第２の区画４は、段ボール箱２を開梱する作業者の通常の手の大きさを想定して設定された間合部５の幅だけ離間している。
【００２９】
（第４の実施の形態）
図６は、天面側及び底面側に粘着テープ１が貼着された本発明の第４の実施の形態に係る段ボール箱２の斜視図を示している。第４の実施形態は、第２の実施形態において、２つの第１の区画３に加えて、第１の区画３からみて粘着テープ１の第１の端部１１とは反対側に所定の間合部５だけ離間した位置であって、段ボール箱２の第１の側面２３の略中央に１つの第２の区画４を設けたものである。第２の実施形態とは異なる点についてのみ、次に説明する。
【００３０】
第２の区画４自体の構成や封緘及び開封の手順は第３の実施形態と同様であるので、その説明は省略する。第４の実施形態は、第２の実施形態と同様に内容物が天地無用であって段ボール箱２のどちらの面が上側となっても差し支えないような場合に利用者にとって有用であり、さらに段ボール箱２の高さが比較的薄いような場合、天面側又は底面側のいずれの第１の区画３を圧する場合でも、１つの第２の区画４を活用することができる。
【００３１】
（第５の実施の形態）
図７は、天面側及び底面側に粘着テープ１が貼着された本発明の第５の実施の形態に係る段ボール箱２の斜視図を示している。第５の実施形態は、第２の実施形態において、２つの第１の区画３に加えて、第１の区画３からみて粘着テープ１の第１の端部１１とは反対側に所定の間合部５だけ離間した位置であって、段ボール箱２の第１の側面２３の天面側及び底面側に２つの第２の区画４をそれぞれ設けたものである。第２の実施形態とは異なる点についてのみ、次に説明する。
【００３２】
第２の区画４自体の構成や封緘及び開封の手順は第３の実施形態と同様であるので、その説明は省略する。第５の実施形態は、第２の実施形態と同様に内容物が天地無用であって段ボール箱のどちらの面が上側となっても差し支えないような場合に利用者にとって有用であり、さらに段ボール箱２の高さが比較的厚く、１つの第２の区画４を利用して天面側又は底面側の第１の区画３を圧することができないような場合に有用である。
【００３３】
（第６の実施の形態）
図８は、天面側に粘着テープ１が貼着された本発明の第６の実施の形態に係る段ボール箱２の斜視図を示している。第６の実施形態は、第１ないし第５の実施形態において、第１の区画３が粘着テープ１の第１の端部１１に対して２つ設けられたものである。第１ないし第５の実施形態においては、第１の区画３を粘着テープ１の第１の端部１１の略中央に位置するように設けているのに対し、第６の実施形態では、粘着テープ１の第１の端部１１の両隅部に各別に第１の区画３を対応させている。第１ないし第５の実施形態とは異なる点についてのみ、次に説明する。
【００３４】
第６の実施形態では、開封する際、利用者の指で並列された２つの第１の区画３の露出部３４を順次圧することにより被覆部３３から粘着テープ１の第１の端部１１の両隅部を剥脱させ、２つの第１の区画３の全体を段ボール箱２の内側に折り込む。そして、被覆部３３から剥脱した粘着テープ１の第１の端部１１の両隅部の該当箇所を２つの切っ掛け１３とし、この切っ掛け１３を引き上げて粘着テープ１の全体を段ボール箱２から剥す。第１の区画３を粘着テープ１の第１の端部１１の中央に１つ設けるか、あるいは、第１の端部１１の両隅部に各別に２つ設けるかは、粘着テープ１の材質や粘着力等の差異に応じて選択することができる。
【００３５】
（第７の実施形態）
第７の実施形態は、上述した第１ないし第６の実施形態において段ボール箱２の第１の側面２３に設けた第１の区画３又は第１の区画３及び第２の区画４を、段ボール箱２の反対側の第２の側面２４にも設けるものである（図示せず）。その場合、粘着テープ１の反対側の第２の端部１２についても第１の区画３の被覆部３３を覆うようにし、段ボール箱２の左右いずれの側面からでも本願発明に係る第１の区画３又は第１の区画３及び第２の区画４を利用して粘着テープ１を剥せるようにしてもよいし、あるいは、利用者の適宜な利用方法として、粘着テープ１の第１の端部１１又は第２の端部１２のいずれか一方のみをそれぞれに対応する被覆部３３を覆うようにし、段ボール箱２のいずれか一方の側面からだけ本願発明に係る第１の区画３又は第１の区画３及び第２の区画４を利用して粘着テープ１を剥せるようにしてもよい。
【００３６】
第７の実施の形態において、段ボール箱２の第２の側面２４に、第１ないし第６の実施形態で説明した段ボール箱２の第１の側面２３に設けた第１の区画３又は第２の区画４を対称的に設けるかどうかは、梱包されている内容物などによって、選択することができる。一般的には、利用者の利便性を考慮すると対称的に設けるほうがよいが、例えば、内容物が段ボール箱２の側面によって性質が異なる、あるいは、左右対称に梱包されていないような場合、第１の側面２３には第１の区画３と第２の区画４の双方を設け、第２の側面２４には第１の区画２のみを設けることなどが考えられる。
【００３７】
（内容物の例）
最後に、本発明に係る段ボール箱２に梱包される内容物の一例について、述べる。内容物は医療用資器材を収納する容器であって、例えば以下のようなものである。
【００３８】
この容器は、凹型の容器本体と、その開口部の周縁に設けられたフランジ部と、フランジ部に熱シールによって取り付けられた、開口部を封止する蓋を備えている。容器本体は、ガス・水蒸気難透過性で硬質の材料、例えば、ポリプロピレン／エチレンビニルアルコール／ポリプロピレンの積層フィルムにより形成されており、蓋は、ガス・水蒸気難透過性かつ可撓性の透明な材料、例えば、セラミック蒸着ポリエステルを含むガスバリアー性多層ラミネートフィルムやエチレン−ビニルアルコール共重合体を含むガスバリアー性多層ラミネートフィルムなどより形成される。
【００３９】
この容器の中には、例えば、採血用の複数の血液バッグが収納されている。そして、底には、例えば、炭化鉄、鉄カルボニル、酸化第一鉄、水酸化第一鉄から選らばれる化合物とハロゲン化合物とからなる脱窒素剤が、その脱窒素剤の上には、和紙や吸水性高分子材料などの繊維体組成物からなる吸水体が敷かれている。血液バッグは、ポリ塩化ビニルなどの軟質の合成樹脂により形成されており、その内部には抗凝固剤として例えばクエン酸ナトリウム、クエン酸及びブドウ糖を含有する薬液が入っている。通常、１つの容器の中に４つの血液バッグが収納されており、最上段の血液バッグの上端面は容器のほぼ開口部に位置しており、蓋と接触している。
【００４０】
以上のように、内容物としての医療用資器材及びその容器は極めてデリケートなものであり、それらを梱包した段ボール箱２を開梱するにあたり、カッター等の刃物を用いず、かつ、円滑に開封することは極めて重要である。さらには、第１の区画３及び／又は第２の区画４に作業者の指を挿入して段ボール箱２を確実に運搬できるとともに、また、粘着テープ１を剥した後であっても第１の区画３及び／又は第２の区画４を元の状態に戻すことができ段ボール箱２を再利用できる。
【産業上の利用可能性】
【００４１】
本発明に係る段ボール箱は、段ボール箱に梱包して流通、運搬されるすべての内容物の保護に役立つものであるが、特に、上述した医療用資器材の容器のように軟質な素材で形成された容器に収納されている内容物の保護に大いに役立つものである。
【符号の説明】
【００４２】
１  粘着テープ
１１  粘着テープ１の第１の端部
１２  粘着テープ１の第２の端部
１３  切っ掛け
２  段ボール箱
２１ａ，ｂ  外蓋
２２ａ，ｂ  内蓋
２３  第１の側面
２４  第２の側面
３  第１の区画
３１  対向する２本の第１の縦の破断線
３２  対向する破断線３１の上端を結ぶ第１の横の破断線
３３  被覆部
３４  露出部
４  第２の区画
４１  対向する２本の第２の縦の破断線
４２  対向する破断線４１の下端を結ぶ第２の横の破断線
５  間合部
【図１】
0003174499.tif 000003
【図２】
0003174499.tif 000004
【図３】
0003174499.tif 000005
【図４】
0003174499.tif 000006
【図５】
0003174499.tif 000007
【図６】
0003174499.tif 000008
【図７】
0003174499.tif 000009
【図８】
0003174499.tif 000010
【図９】
0003174499.tif 000011
【図１０】
0003174499.tif 000012